(57)【要約】【課題】ゴミの除去作業の作業性を向上させたヘアーキャッチャーを提供する【解決手段】上下に貫通する櫛間スリット３を備えるようにそれぞれ一端が自由端となる櫛歯４を設けた一対の排水口閉塞部材２を、上下に積層すると共にその偏心位置で枢支連結させて各々平面内で回動可能にし、平面視で各櫛歯４が交差するように一対の排水口閉塞部材２が重合された排水口閉塞状態と、平面視で各櫛歯４が交差しないように一対の排水口閉塞部材２が展開されたゴミ除去状態とを選択可能にする。【選択図】図１
2009030328.tif 000002
【特許請求の範囲】
【請求項１】
上下に貫通する櫛間スリットを備えるようにそれぞれ一端が自由端となる櫛歯を設けた一対の排水口閉塞部材を、上下に積層すると共にその偏心位置で枢支連結させて各々平面内で回動可能にし、平面視で各櫛歯が交差するように一対の排水口閉塞部材が重合された排水口閉塞状態と、平面視で各櫛歯が交差しないように一対の排水口閉塞部材が展開されたゴミ除去状態とを選択可能にしたことを特徴とするヘアーキャッチャー。
【請求項２】
一対の排水口閉塞部材をその側端域で枢支連結し、ゴミ除去状態を一対の排水口閉塞部材の各櫛歯の自由端が略同じ方向を向く状態にしたことを特徴とする請求項１記載のヘアーキャッチャー。
【発明の詳細な説明】
【技術分野】
【０００１】
本発明は、ヘアーキャッチャーに関するものである。
【背景技術】
【０００２】
従来から、浴室などの排水口には、排水に含まれる毛髪などのゴミを捕捉するためにヘアーキャッチャー１が着脱自在に配設されている。ヘアーキャッチャー１は一般的には図４のような格子桟１０を備えた目皿状部材であり、ヘアーキャッチャー１に至った排水は格子桟１０間の排水孔部８から流下されるのであるが、その際に排水に含まれる毛髪などのゴミは格子桟１０に絡みつくようにして効率よく捕捉される。この捕捉されたゴミは蓄積してくると格子桟１０間の排水孔部８を塞いでヘアーキャッチャー１の排水性能を低下させることとなるから適宜取り除かねばならないのであるが、格子桟１０に絡みついたゴミは簡単には除去できないのであってゴミの除去作業は煩雑な作業となっている。したがって、たとえば特許文献１には、煩雑なゴミの除去作業の作業性を向上させる提案がなされている。
【０００３】
この特許文献１のヘアーキャッチャー１は、図５のように、縦桟部１１ａと横桟部１１ｂとで成るＬ字枠１１を備えると共に、上記縦桟部１１ａと横桟部１１ｂとにそれぞれ一端が自由端となった櫛歯４を有した櫛歯部材１２を上下に回転自在に枢支してある。排水口にヘアーキャッチャー１を配置した際には、各櫛歯部材１２を上下に積層した状態にすると共に各櫛歯４を平面視で交差する状態にして、この交差させた各櫛歯４にてゴミを捕捉するようにし、そして、この捕捉したゴミを除去するには、排水口からヘアーキャッチャー１を取外し、各櫛歯部材１２をそれぞれ縦桟部１１ａ及び横桟部１１ｂに対して下方に回動させて各櫛歯４の自由端を下方に向けた展開状態にし、各櫛歯４に絡まるゴミをそれぞれ櫛歯４の自由端側に引き出すことで、ゴミを容易に櫛歯４から剥がすことができるようにしている。
【０００４】
しかしながら、このヘアーキャッチャー１では、Ｌ字枠１１とこれに枢支される各櫛歯部材１２との微小な隙間１３にも排水が流下されてこのときゴミも入り込んで絡まって付着しまうのであり、このゴミの除去作業は指の入らない狭い隙間での非常に困難な作業となり、ゴミの除去作業の作業性が悪化する、といった問題がある。
【０００５】
また、ゴミの除去作業は排水口からヘアーキャッチャー１を取外して行われるのであるが、各櫛歯部材１２は縦桟部１１ａや横桟部１１ｂから自重にて下方へ垂れるように回動する恐れがあり、ヘアーキャッチャー１を把持する際には各櫛歯部材１２の自重による下方回動（展開）を押さえるようにして行わねばならず、つまりヘアーキャッチャー１が扱いにくくゴミの除去作業の作業性が悪化する、といった問題がある。
【０００６】
更に言うと、ゴミを除去する際には各櫛歯部材１２はＬ字枠１１の縦桟部１１ａ及び横桟部１１ｂから下方に回動して櫛歯４の自由端は下方に向くのであるが、このとき各櫛歯部材１２の櫛歯４の並設方向は平面視でＬ字枠１１の縦桟部１１ａや縦桟部１１ａと同様に直交するのであり、ゴミを除去するには結局のところ各櫛歯部材１２を個別に清掃者側に向けるようにヘアーキャッチャー１の回転姿勢を変化させねばならないものであり、この点においてもゴミの除去作業の作業性は充分なものとは言えないのであった。
【特許文献１】特開２００７−４６４２２号公報
【発明の開示】
【発明が解決しようとする課題】
【０００７】
本発明は上記の点に鑑みてなされたものであり、その目的とするところは、ゴミの除去作業の作業性を向上させたヘアーキャッチャーを提供することを課題とするものである。
【課題を解決するための手段】
【０００８】
上記課題を解決するために請求項１に係るヘアーキャッチャーにあっては、上下に貫通する櫛間スリット３を備えるようにそれぞれ一端が自由端となる櫛歯４を設けた一対の排水口閉塞部材２を、上下に積層すると共にその偏心位置で枢支連結させて各々平面内で回動可能にし、平面視で各櫛歯４が交差するように一対の排水口閉塞部材２が重合された排水口閉塞状態と、平面視で各櫛歯４が交差しないように一対の排水口閉塞部材２が展開されたゴミ除去状態とを選択可能にしたことを特徴とする。
【０００９】
これによると、排水に含まれる毛髪などのゴミを捕捉するには、ヘアーキャッチャー１を排水口閉塞状態にして交差する櫛歯４にて行わせることができるのであり、交差する各櫛歯４に絡みつくように捕捉されたゴミを除去するには、ヘアーキャッチャー１をゴミ除去状態にして各櫛歯４の交差状態を解除することで櫛歯４に絡まるゴミをそれぞれ櫛歯４の自由端側に引き出すことで容易に行うことができる。ここで、ヘアーキャッチャー１を構成する一対の排水口閉塞部材２は上下に積層すると共にその偏心位置で枢支連結させて各々平面内で回動可能にされているから、自重にて排水口閉塞部材２が垂れ下がるようなことはなくて扱い易くなっていると共に、従来例のように回動する部材（櫛歯部材１２）に加えてこれを枢支する不動の部材（Ｌ字枠１１）を有したものではなくて、つまり回動する部材と不動の部材との微小な隙間１３にゴミが付着することもなく、したがって、ゴミの除去作業の作業性を良好にできる。
【００１０】
また請求項２に係るヘアーキャッチャーにあっては、請求項１において、一対の排水口閉塞部材２をその側端域で枢支連結し、ゴミ除去状態を一対の排水口閉塞部材２の各櫛歯４の自由端が略同じ方向を向く状態にしたことを特徴とする。
【００１１】
これによると、一対の排水口閉塞部材２を展開したゴミ除去状態では、一対の排水口閉塞部材２の各櫛歯４の並設方向を略同方向にできるのであり、つまりヘアーキャッチャー１の回転姿勢を変えずに各櫛歯４からゴミを除去することができて、ゴミの除去作業の作業性を向上できる。
【発明の効果】
【００１２】
本発明にあっては、ヘアーキャッチャーにて捕捉したゴミの除去作業の作業性を向上できる、という利点を有する。
【発明を実施するための最良の形態】
【００１３】
以下、本発明を添付図面に示す実施形態に基いて説明する。
【００１４】
本例のヘアーキャッチャー１は、図１，２のように上下に貫通する櫛間スリット３を備えるようにそれぞれ一端が自由端となる櫛歯４を設けた一対の排水口閉塞部材２を、上下に積層すると共にその偏心位置で枢支連結させて各々平面内で回動可能にして構成されている。そして、図１（ａ）のように平面視で各櫛歯４が交差するように一対の排水口閉塞部材２が重合された排水口閉塞状態と、図１（ｂ）のように平面視で各櫛歯４が交差しないように一対の排水口閉塞部材２が展開されたゴミ除去状態とが選択可能にされている。
【００１５】
詳しくは、ヘアーキャッチャー１を構成する上層の排水口閉塞部材２ａと下層の排水口閉塞部材２ｂとはそれぞれＳＵＳ製の扁平な円形板材で構成されており、それぞれ円形板材の一端から同方向に複数の切り込みを入れることで一端が自由端となる複数の櫛歯４を並設させている。なお、上記切り込みは上下に貫通する櫛間スリット３を構成する。複数の櫛歯４の並設方向における排水口閉塞部材２の側端域には枢支孔５が上下に貫通するように穿設される。なお、本例では一対の排水口閉塞部材２は図２のように左右に並べた際に左右対称となる形状に形成されている。一対の排水口閉塞部材２は上下に積層させた際に連通させた各枢支孔５に対してハトメやボルトなどの連結具６を上下に挿通してなる枢支連結部７で枢支連結されるのであり、これにより、各排水口閉塞部材２は各々その配置された面内で互いに干渉することなく回動自在に連結される。
【００１６】
このヘアーキャッチャー１は、図１（ａ）のように平面視で各櫛歯４が交差するように一対の排水口閉塞部材２が重合された排水口閉塞状態にして、排水口を閉塞するように配置される。詳しくは、排水口閉塞状態にあるヘアーキャッチャー１は一対の排水口閉塞部材２がその外縁同士を一致させるようにして完全に重合された平面視で円形状態にあり、これを円孔状の排水口にぴったりと嵌めるように配置する。なおこのとき、交差した一対の排水口閉塞部材２の各櫛歯４の間に各櫛間スリット３が上下に連通する排水孔部８が多数形成される。したがって、排水口に流入した排水は漏れなくヘアーキャッチャー１の上面を伝って排水孔部８から流下されるのであるが、このとき該排水に含まれる抜け毛などのゴミは各排水孔部８を囲繞する交差された櫛歯４に絡みつくようにして効率よく捕捉されるのである。
【００１７】
櫛歯４に絡みつくようにして捕捉されたゴミをヘアーキャッチャー１から除去するには、排水口からヘアーキャッチャー１を取外し、図１（ｂ）のような平面視で各櫛歯４が交差しないように一対の排水口閉塞部材２が展開されたゴミ除去状態にして行う。ヘアーキャッチャー１を排水口閉塞状態からゴミ除去状態に変形させるには、一対の排水口閉塞部材２を偏心位置にある枢支連結部７を中心にしてそれぞれ各平面内で互いにずらすように回動させればよくて簡易な作業である。なお、ヘアーキャッチャー１は叙述のように一対の排水口閉塞部材２が上下に積層すると共にその偏心位置で枢支連結させて各々平面内で回動可能されたものであり、排水口から上方に向けて取り外した際にも自重にて排水口閉塞部材２が垂れ下がるようなことはなくて扱い易いものである。
【００１８】
詳しくは、ゴミ除去状態にあるヘアーキャッチャー１は、一対の排水口閉塞部材２の枢支連結部７の近傍を残して大部分の部位が重合せず、一対の排水口閉塞部材２が左右に隣り合うような配置状態となり、このとき一対の排水口閉塞部材２の各櫛歯４の自由端が略同じ方向を向く状態になる。なお、重合する枢支連結部７の近傍の部位でも、上下の櫛歯４同士、櫛間スリット３同士が重合するのであり、一対の排水口閉塞部材２の各櫛歯４の並設方向が略連続する方向となる。
【００１９】
ここで、ヘアーキャッチャー１を排水口閉塞状態からゴミ除去状態に変形させると、一対の排水口閉塞部材２の各櫛歯４にのみ捕捉されたゴミはそのままの捕捉状態となるが、一対の排水口閉塞部材２の各櫛歯４に跨って捕捉されたゴミはいずれかの排水口閉塞部材２の櫛歯４に捕捉された状態となる。すなわち、ゴミ除去状態では、排水口閉塞状態で捕捉されたゴミがいずれかの排水口閉塞部材２の櫛歯４に分けて捕捉された状態となる。そして、このゴミ除去状態では、一対の排水口閉塞部材２の各櫛歯４の自由端が略同方向を向いた状態となっている、つまり各櫛歯４は開けた空間に位置するようになるので、各櫛歯４に捕捉されているゴミを各櫛歯４の自由端側に引っ張ることで、各櫛歯４に絡みついたゴミも各櫛歯４の自由端からスムーズに抜くことができ、捕捉したゴミをヘアーキャッチャー１から容易に剥がして除去することができるのである。ここで、ゴミ除去状態のヘアーキャッチャー１は一対の排水口閉塞部材２は上下に近接した状態で各櫛歯４の自由端が略同方向を向いた状態となっているので、ヘアーキャッチャー１の回転姿勢を変えることなく、一対の排水口閉塞部材２の各櫛歯４からゴミを除去することができる。
【００２０】
上記のように本例のヘアーキャッチャー１にあって、排水に含まれる毛髪などのゴミを捕捉するには、ヘアーキャッチャー１を排水口閉塞状態にしてこのときの交差する櫛歯４によって効率よく行わせることができるのであり、また、交差する各櫛歯４に絡みつくように捕捉されたゴミを除去するには、ヘアーキャッチャー１をゴミ除去状態にして各櫛歯４の交差状態を解除することで櫛歯４に絡まるゴミをそれぞれ櫛歯４の自由端側に引き出すことで容易に行うことができるのである。
【００２１】
そして本例ではゴミの除去作業を行うにあたって、排水口から取り外したヘアーキャッチャー１が上記のように排水口閉塞部材２が自重で垂れ下がるようなことはなくて扱い易くされているから、ゴミの除去作業の良好な作業性が確保されている。
【００２２】
また、本例において排水口に流入する排水は漏れなく排水孔部８を経て流下されるのであってこの排水に含まれるゴミは櫛歯４にのみ捕捉されるのであり、つまり従来技術の例（図５）のように回動する部材（櫛歯部材１２）に加えてこれを枢支する不動の部材（Ｌ字枠１１）を有したものではないから、回動する部材と不動の部材との微小な隙間１３にゴミが付着する事態も発生することがないのであり、この点でもゴミの除去作業の作業性を良好にできたものである。
【００２３】
更に言うと、本例のヘアーキャッチャー１のゴミの除去作業では、上記のようにヘアーキャッチャー１の回転姿勢を変えることなく一対の排水口閉塞部材２の各櫛歯４からゴミを除去することができるので、この点でもゴミの除去作業の作業性の向上が図られているのである。
【００２４】
なお、上記実施形態の例のヘアーキャッチャー１に加えて図３のように取っ手９を設けてもよい。これによると、ヘアーキャッチャー１の排水口からの取り外し等、ヘアーキャッチャー１の取り扱いを容易にするものであり、ゴミの除去作業の作業性を向上できる。なお、取っ手９に対してゴミが引っ掛かったとしても、取っ手９はヘアーキャッチャー１から突設されて開放した空間にあるために、比較的簡単にゴミを除去することができるので、ゴミの除去作業の作業性を悪化させるには至らない。
【００２５】
また、上記実施形態では、排水口閉塞部材２は金属製（ＳＵＳ製）であるが、摩擦の少ない（滑性を有する）樹脂で構成してもよい。これによっても、金属製（ＳＵＳ製）と同様に、水垢の付着を抑制できたり、櫛歯４に絡み付いたゴミの除去を簡単に行わせることができる。
【００２６】
また、上記実施形態では、櫛歯４は扁平な平板形状に形成されているが、ある程度の上下厚を有する棒状等の形状に形成してもよく、また櫛歯４はその長さ方向（突出方向）で同断面か、自由端側である突出先端側ほど細くなるように形成するのがよく、つまり、櫛歯４に絡みついたゴミをその自由端側に引き出すことに支障とならないように形成するのがよい。
【図面の簡単な説明】
【００２７】
【図１】本発明の実施の形態の例のヘアーキャッチャーであり、（ａ）は排水口閉塞状態の平面図であり、（ｂ）はゴミ除去状態の平面図である。
【図２】同上のヘアーキャッチャーの分解斜視図である。
【図３】本発明の実施の形態の他例のヘアーキャッチャーのゴミ除去状態の平面図である。
【図４】従来技術の例のヘアーキャッチャーであり、（ａ）は平面図であり、（ｂ）は側断面図である。
【図５】従来技術の他例のヘアーキャッチャーであり、（ａ）はゴミを補足する状態の斜視図であり、（ｂ）はゴミを除去する状態の斜視図である。
【符号の説明】
【００２８】
１  ヘアーキャッチャー
２  排水口閉塞部材
３  櫛間スリット
４  櫛歯
５  枢支孔
６  連結具
７  枢支連結部
８  排水孔部
９  取っ手
【図１】
2009030328.tif 000003
【図２】
2009030328.tif 000004
【図３】
2009030328.tif 000005
【図４】
2009030328.tif 000006
【図５】
2009030328.tif 000007